(57)【特許請求の範囲】
【請求項１】
躯体側に一体的に取付けられる外側スライドレールの上下にある内向きガイド溝部と、戸体が支持される内側スライドレールの上下にある外向きガイド溝部とのあいだに、リテーナで支持されるボールを転動自在に介装してなるスライド式吊りレールを用いて前記戸体を開閉移動自在に吊持してなる吊戸において、前記内側スライドレールに、リテーナ両端部に設けた係止部に係止して内側スライドレールの外れ止めをするための係止受け部を設けるにあたり、該係止受け部は、内側スライドレールのレール端部よりもレール長方向中央寄りに偏倚させて設けて、リテーナに対する内側スライドレールの移動がリテーナ端部位置を越えて余分に移動できるように設定したことを特徴とする吊戸におけるスライド式吊りレール構造。
【請求項２】
請求項１において、リテーナ係止部と内側スライドレール係止受け部との係合は、レールの幅方向一側に偏倚して設けられていることを特徴とする吊戸におけるスライド式吊りレール構造。
【発明の詳細な説明】
【０００１】
【産業上の利用分野】
本発明は、建物の出入口や通路に設けられる吊戸におけるスライド式吊りレール構造に関するものである。
【０００２】
【従来技術及び発明が解決しようとする課題】
一般に、この種吊戸の中には、図２に示すように、外側スライドレール４の上下にある内向きガイド溝部４ａ、４ｂと、戸体１が支持される内側スライドレール５の上下にある外向きガイド溝部５ａ、５ｂとのあいだに、リテーナ７で支持される複数のボール６を転動自在に介装してなるスライド式吊りレール２を用いて吊持し、これによって前記戸体の開閉移動を、吊りローラタイプのものよりも円滑に行うよう配慮したものがある。
【０００３】
ところでこの様なスライド式吊りレール２においては、内側スライドレール５が移動する場合に、理論的にはリテーナ７が外側スライドレール４に対して移動ストロークの１／２だけ移動し、さらにこのリテーナ７に対して内側スライドレールが移動ストロークの１／２だけ移動する設定になっている。ところが、内側スライドレール５やリテーナ７に偏加重が働いたり、各ボール６の内側または外側スライドレール４または５に対する回転抵抗の相違等により前記１／２づつの理想的な相対移動にズレが生じることがあり、そうしたときに、内側スライドレール５がリテーナ７から外れてしまうこととなり、これを防止するための配慮が必要となる。
【０００４】
そこで従来、図７、８に示すように、リテーナ７の両端部に係止部７ｆを形成する一方、内側スライドレール５の両端部に係止受け部５ｆを形成して、内側スライドレール５の端部がリテーナ７の端部位置に移動した場合に、係止受け部５ｆが係止部７ｆに係止することで内側スライドレール５のリテーナ７に対する相対移動を規制し、これによって内側スライドレール５のリテーナ７からの外れ止めをするようにしていた。しかるにこのものでは、図９に示すように戸体１が全閉（または全開）状態になる前位置で上記内側スライドレール５の移動規制がなされると、戸体１は全閉することなく半開状態で停止し、これを矯正するには戸体１を強制的に閉めなければならないという問題がある。
【０００５】
【課題を解決するための手段】
本発明は、上記の如き実情に鑑みこれらの欠点を一掃することができる吊戸におけるスライド式吊りレール構造を提供することを目的として創作されたものであって、躯体側に一体的に取付けられる外側スライドレールの上下にある内向きガイド溝部と、戸体が支持される内側スライドレールの上下にある外向きガイド溝部とのあいだに、リテーナで支持されるボールを転動自在に介装してなるスライド式吊りレールを用いて前記戸体を開閉移動自在に吊持してなる吊戸において、前記内側スライドレールに、リテーナ両端部に設けた係止部に係止して内側スライドレールの外れ止めをするための係止受け部を設けるにあたり、該係止受け部は、内側スライドレールのレール端部よりもレール長方向中央寄りに偏倚させて設けて、リテーナに対する内側スライドレールの移動がリテーナ端部位置を越えて余分に移動できるように設定したことを特徴とする吊戸におけるスライド式吊りレール構造である。
【０００６】
そして本発明は、この構成によって、外側スライドレールに対する内側スライドレールとリテーナとの相対移動に生じるズレを吸収できるようにしたものである。
【０００７】
【実施例】
次に、本発明の一実施例を図面に基づいて説明する。図面において、１は建物の出入口や通路に設けられる吊戸を構成する戸体であって、該戸体１は、開口部の上部に設けられる後述のスライド式の吊りレール２に吊持される状態で、開口部を閉鎖する閉鎖位置から、開口部の一側部屋内側に設けられる戸袋３内に収納されて開口部を開口する収納位置に至るまでのあいだを左右移動自在となるように設けられている。
【０００８】
前記スライド式の吊りレール２は、躯体に支持され、上下に内向きのガイド溝部４ａ、４ｂが形成される外側スライドレール４と、戸体１が支持され、上下に下向きのガイド溝部５ａ、５ｂが形成された内側スライドレール５と、各対向するガイド溝部４ａ、５ａおよび４ｂ、５ｂのあいだにそれぞれ転動自在に介装される複数のボール６と、該ボール６を所定間隔を存する状態で一連状に支持するリテーナ７とで構成されている。そして、内側スライドレール５の移動に伴い、ボール６が内側スライドレール４と外側スライドレール５とのあいだで転動し、リテーナ７が外側スライドレール４に対して所定ストロークの１／２だけ移動し、該移動するリテーナ７の移動と同時的に内側スライドレール５がリテーナ７を移所定ストロークの１／２だけ動することで、内側スライドレール５が外側スライドレール４に対して所定ストロークの相対移動をするように設定されている。
【０００９】
ところで、外側スライドレール４の躯体側への取り付けは、外側スライドレール４の溝底辺４ｃを、躯体に一体的に支持される躯体フレーム８に螺子８ａを介して止着することでなされるが、外側スライドレール４の凹溝部に内嵌状に設けられるリテーナ７には、幅方向中央部に位置して前記螺子８ａの頭部を回避するため膨出された突出条７ａが形成されている。そして、リテーナ突出条７ａの左右端部に位置する上側辺７ｂには、上側に向けて切り起こされた係止部７ｃがそれぞれ形成されている。
【００１０】
一方、内側スライドレール５の上側のリテーナ７対向面には、前記リテーナ係止部７ｃに係止するよう突設された係止受け部５ｃが形成されており、これによって内側スライドレール５がリテーナ７から外れてしまうのを防止できるようになっているが、該係止受け部５ｃは、内側スライドレール５の両端部位置からレール長方向にそれぞれ寸法Ａだけ中央寄りに偏倚した位置に形成されており、これによって、リテーナ７に対する内側スライドレール５の移動が、リテーナ７端部位置を越えて寸法Ａだけ余分に移動できるように設定されている。
また、外側スライドレール４の左右両端縁は内側スライドレール５側に向けて切り起こされてストッパ片４ｄに形成されており、これによって、リテーナ７および内側スライドレール５の外側スライドレール４からの外れ止めに構成されている。
【００１１】
尚、図中、９は、内側スライドレール５に戸体１を連結するための連結金具であって、該連結金具９は螺子９ａにより内側スライドレール５の幅方向中央部位に螺着されている。さらに、１０は戸体１の自閉装置、１１は戸体１全閉時の衝撃緩衝をする緩衝装置、１２、１３は全開した戸体１を保持する保持装置であるが、これらは、オプションとして任意の取付けができるものであり、ここではその詳細を省略する。
【００１２】
叙述の如く構成された本発明の実施例において、スライド式の吊りレール２に吊持された戸体１は、前述したように、外側スライドレール４と内側スライドレール５とのあいだをボール６が転動することによって軽快な開閉がなされることになるが、このものでは、リテーナ７の端部に形成される係止部７ｃに係止する内側スライドレール５の係止受け部５ｃは、該内側スライドレール５の端部位置よりも寸法Ａだけ中央寄りに形成されているので、内側スライドレール５がリテーナ７の端部位置を越えて寸法Ａだけさらに移動が許容されることになる。この結果、戸体１に偏負荷が作用する等があって、外側スライドレール４とリテーナ７と内側スライドレール５とのあいだの相対移動にズレが生じ、戸体１が全閉または全開状態になる前位置で内側スライドレール５がリテーナ７の端部位置にまで移動するような場合に、戸体１は寸法Ａだけは遊びのある移動可能状態となって、従来の係止受け部５ｃが端部位置に設けられて内側スライドレール５の移動がリテーナ７端部位置で規制されるもののように、戸体１が半開状態になってしまうことが防止される。
【００１３】
このように、本発明が実施されたスライド式吊りレール２は、内側スライドレール５がリテーナ７から外れ止めされるものでありながら、リテーナ係止部７ｃをレール長方向中央寄りに偏倚して形成することでリテーナ７と内側スライドレール５とのあいだに生じるズレを寸法Ａ分だけ吸収できるようにしたものであるが、さらにこのものでは、係止受け部５ｃと係止部７ｃとは、レール幅方向中央部位より上側に偏倚して設けられており、これによって、内側スライドレール５の幅方向中央部位に設けられる連結金具９止着用の螺子９ａの端部が、リテーナ７のレール長方向中央よりに形成された係止部７ｃに当たって、内側スライドレール５の移動を損なうようなことがない。
【００１４】
尚、本発明が実施されたスライド式吊りレール２を躯体に取り付けセットする場合に、図６に示すように、外側スライドレール４に対するリテーナ７のセット位置を理論上のセット位置よりも短くなるよう配設してもよく、この様に配設することで、戸体１の全閉または前開状態となる前段階で外側ガイドレール４のストッパ片４ｄにリテーナ７が当接してしまう方向のズレを、リテーナ７を短く設定した分だけ吸収することができ、内側スライドレール５の係止受け部５ｃを中央寄りに偏倚する長さ寸法と、リテーナ７の配設位置を調整することによって、両方向のズレを吸収することができる。
【００１５】
【作用効果】
以上要するに、本発明は叙述の如く構成されたものであるから、スライド式吊りレールの内側スライドレールは、リテーナ端部に形成の係止部に係止するための係止受け部がレール長方向中央寄りに形成されているので、リテーナの端部位置を越えて移動することができ、この結果、内側スライドレールとリテーナとのあいだに相対移動のズレが生じた場合に、これを吸収できる遊びとなって軽快な開閉を維持できる。
【図面の簡単な説明】
【図１】吊戸の正面図である。
【図２】要部の一部切欠き斜視図である。
【図３】要部の側面断面図である。
【図４】スライド式吊りレールの正面図である。
【図５】スライド式吊りレールの説明正面図である。
【図６】第二実施例のスライド式吊りレールの説明正面図である。
【図７】従来例のスライド式吊りレールの正面図である。
【図８】図７のＸ−Ｘ断面図である。
【図９】従来例のスライド式吊りレールの説明正面図である。
【符号の説明】
１    戸体
２    スライド式吊りレール
４    外側スライドレール
５    内側スライドレール
５ｃ    係止受け部
６    ボール
７    リテーナ
７ａ    突出条
７ｃ    係止部
【図１】
0003577537.tif 000002
【図２】
0003577537.tif 000003
【図３】
0003577537.tif 000004
【図４】
0003577537.tif 000005
【図５】
0003577537.tif 000006
【図６】
0003577537.tif 000007
【図７】
0003577537.tif 000008
【図８】
0003577537.tif 000009
【図９】
0003577537.tif 000010